(57)【要約】【課題】  台座上の動く模型への様々なリンク機構を持つ回転軸を台座内に持ち複数の台座同士を直接あるいは連結具で連結できる連結機構付台座を提供する。【解決手段】  動きを表現できる模型への様々なリンク機構がついた回転軸の両端に継手構造を設け台座同士直接あるいは連結具などを介して複数個連結することができ、そして先頭台座あるいは後尾台座の継手に動力部であるモーター、ゼンマイ、フライホイルあるいは手動ハンドルなどを動力として連結することのより複数台連結された台座が全てシンクロして動力伝達することが出来る連結機構付台座。【選択図】  図１
2005198995.tif 000002
【特許請求の範囲】
【請求項１】
動きを表現できる模型を持つ台座において、その動きとなる動力を伝達するための手段がついた回転軸と、台座同士の回転軸が直接あるいは連結具などを介して複数連結できるための回転軸両端に加工された継手構造を設け、台座内には動力を持たないことを特徴とする連結機構付台座。
【請求項２】
請求項１の台座の位置を模型に対し側面あるいは上部に配置した連結機構付台座。
【発明の詳細な説明】
【技術分野】
【０００１】  本発明は一般的に動きを表現できる模型へ動力を伝達するための、様々なリンク機構がついた回転軸と回転軸両端に加工された継手を持つ台座に係り、台座同士が回転軸両端につけられた継手で直接あるいは連結具などを介して複数連結でき、そして先頭台座あるいは後尾台座の継手に動力部であるモーター、ゼンマイ、フライホイルなどの動力あるいは手動ハンドルなどを連結することで複数連結された台座全てにシンクロして動力伝達することができる台座に係る。
【背景技術】
【０００２】  従来、台座に動力部を持ち、台座上の生物や乗り物やキャラクタなどを動かす模型は広く使用されている。このような模型を小型で低価格の商品シリーズとして提供する場合、模型自体の小型化は容易なのに対して、個別にモーター、ゼンマイ、フライホイルなどの動力部を組込むと台座は小型化ができず、さらにコストも高くなった。【０００３】  また、シリーズ化される模型の場合、小型で安価に複数の模型をシンクロした動作で表現出来るものが無かった。
【発明の開示】
【発明が解決しようとする課題】
【０００４】  従来、台座に動力部を持ち、台座上の生物や乗り物やキャラクタなどを動かす模型をシリーズ化、小型化するにあたって、動力部を個別に持つことにより以下のような問題が起こっていた。【０００５】  台座上の生物や乗り物やキャラクタなどを小型化していくと台座も小型化したいが内部の動力部は小型化が難しく、個別に動力部がある場合、シリーズ化された動きを表現できる模型を複数シンクロさせ動作させることは困難であった。【０００６】  また、観賞する模型として考えた場合、台座にスイッチやハンドルが外観を壊す場合があった。
本発明は以上の問題点を解決しようとするものである。
【課題を解決するための手段】
【０００７】  従来、台座内に個別に存在する動力部であるモーター、ゼンマイ、フライホイルあるいは手動ハンドルを台座に組み込まず、台座上の生物や乗り物やキャラクタなどを動かす模型を動かすための様々なリンク機構がついた回転軸と、回転軸両端につけられた継手だけを台座内に収納する。【０００８】  そして台座内に収納する様々なリンク機構がついた回転軸と回転軸両端につけられた継手は凸型あるいは凹型のはめ合い溝をつける。【０００９】  そして台座同士が回転軸両端につけられた継手で直接あるいは連結具を介して台座を複数連結することができる。【００１０】  そして複数連結された台座の先頭台座あるいは後尾台座、いずれの継手にも動力部であるモーター、ゼンマイ、フライホイルあるいは手動ハンドルを連結できる。【００１１】  そして先頭台座あるいは後尾台座の継手に連結した動力部であるモーター、ゼンマイ、フライホイルあるいは手動ハンドルを動かし動力伝達が開始すると連結されたすべての台座の様々なリンク機構がついた回転軸はシンクロした動作で動く。以上を特徴とする連結機構付台座である。
【発明の効果】
【００１２】  本発明は、１つの動力から個々の台座上の生物や乗り物やキャラクタなど動く模型を複数連結しシンクロした動作で動かすことができる。したがって個々の動力を必要としない利点だけでなく、台座の小型化、コストの削減、動力の選択の自由、故障の可能性の低下、さらに、手動ハンドルの場合には取り付け位置により左右の利き手に対応が可能になる。【００１３】  また、観賞する模型として置物や展示に使用する場合には、何も連結をしないことにより、スイッチ、ハンドルあるいは電池交換用扉など外観を壊す要素が見えず外観上動かない模型と同様の外見を保つことが可能である。
【発明を実施するための最良の形態】
【００１４】  以下、本発明の実施の形態について説明する。
（イ）第１台座（１）の中に、両端をハメ合いに加工した回転軸継手（１８）付き、第１回転軸（２）を置き、第１カム（３）を設け、回転軸受け（１６）で支える。そして台座上の模型の手を動かすために、第１アーム押上げリンク（４）を設ける。同じく第２台座（５）は第２回転軸（６）と第２カム（７）および第２アーム押上げリンク（８）で構成され、そして、第２カム（７）は第１カム（３）から任意の角度位相をずらした位置に設ける。同じく第３台座（９）は第３回転軸（１０）と第３カム（１１）および第３アーム押上げリンク（１２）で構成され、そして、第３カム（１１）は第２カム（７）から任意の角度位相をずらした位置に設ける。
（ロ）第１台座（１）は同一形状の第２台座（５）と同一形状の第３台座（９）とジョイントシャフト（１７）で連結できる。そして、各台座は複数個連結できる。
（ハ）個々の台座に設けられる回転軸の両端にある回転軸継手（１８）は両端ともに、同一形状であるため、動力源である、手動ハンドル（１３）及びジョイントシャフト（１７）を介して、取付けられるモーターユニット（１４）は先頭の第１台座（１）、後尾の第３台座（９）のいずれにも接続可能である。同様に、動力源としてゼンマイ、フライホイールなども、連結ができる。
（ニ）そして、第１台座（１）の手動ハンドル（１３）を回すと、第１回転軸（２）とジョイントシャフト（１７）で接続される、第２回転軸（６）とジョイントシャフト（１７）で接続される、第３回転軸（１０）は相対回転する。
（ホ）そして、最初に第２回転軸（６）に設けられた第２カム（７）が第２アーム押上げリンク（８）を押上げ、台座上の模型の手を動かし、続けて手動ハンドル（１３）をまわすと、設定された位相差を持って、第１アーム押上げリンク（４）、第３アーム押上げリンク（１２）が働き、模型の手をシンクロして動かしていく。
本発明は、以上の構成によりなっている。
本発明を使用するときは、手動ハンドル（１３）やモーターユニット（１４）を連結して回転させると接続したすべての台座にある回転軸はシンクロして相対回転をする。このとき手動ハンドル（１３）は先頭台座、後尾台座のいずれも連結できるので右利き、左利きの使いにくさは生じない。
【図面の簡単な説明】
【００１３】
【図１】本発明の斜視図
【符号の説明】
【００１４】  １  第１台座
２  第１回転軸
３  第１カム
４  第１アーム押上げリンク
５  第２台座
６  第２回転軸
７  第２カム
８  第２アーム押上げリンク
９  第３台座
１０  第３回転軸
１１  第３カム
１２  第３アーム押上げリンク
１３  手動ハンドル
１４  モーターユニット
１５  支点
１６  回転軸受け
１７  ジョイントシャフト
１８  回転軸継手
【図１】
2005198995.tif 000003